(57)【要約】    【課題】      悪質な勧誘電話などへの応答を回避しつつ、初めて着信を受けた通話相手との間においても安心して通話すること。    【解決手段】  ＩＰネットワーク１０５に接続されたＩＰ電話１０１と、ＩＰ電話１０１、１０２の利用者識別情報を登録しＩＰ電話１０１からの要求に応じて当該利用者識別情報を応答するＷｅｂサーバ１０４と、を具備するＩＰ電話システムにおいて、発信側のＩＰ電話１０１は、当該発信側のＩＰ電話１０１の利用者識別情報へのリンク情報が指定された呼制御信号を送出し、着信側のＩＰ電話１０２は、呼制御信号で指定されたリンク情報に基づいて発信側のＩＰ電話１０１の利用者識別情報をＷｅｂサーバ１０４に要求する。  【選択図】      図１
2006033588.tif 000002
【特許請求の範囲】
【請求項１】
ＩＰネットワークに接続されたＩＰ電話装置と、前記ＩＰ電話装置の利用者識別情報を登録し前記ＩＰ電話装置からの要求に応じて当該利用者識別情報を応答するデータベースサーバと、を具備するＩＰ電話システムであって、発信側のＩＰ電話装置は当該発信側のＩＰ電話装置の利用者識別情報へのリンク情報が指定された呼制御信号を送出し、着信側のＩＰ電話装置は前記呼制御信号で指定されたリンク情報に基づいて前記発信側のＩＰ電話装置の利用者識別情報を前記データベースサーバに要求することを特徴とするＩＰ電話システム。
【請求項２】
前記着信側のＩＰ電話装置は、前記呼制御信号に、前記発信側のＩＰ電話装置の利用者識別情報へのリンク情報が指定されていない場合には当該発信側のＩＰ電話装置との接続を拒否することを特徴とする請求項１記載のＩＰ電話システム。
【請求項３】
前記発信側のＩＰ電話装置は、前記呼制御信号としてＳＩＰプロトコルで規定されるＩＮＶＩＴＥメッセージを送出し、前記着信側のＩＰ電話装置は、当該ＩＮＶＩＴＥメッセージで指定されたリンク情報に基づいて前記発信側のＩＰ電話装置の利用者識別情報を前記データベースサーバに要求することを特徴とする請求項１記載のＩＰ電話システム。
【請求項４】
前記着信側のＩＰ電話装置は、ｈｔｔｐプロトコルに従って前記発信側のＩＰ電話装置の利用者識別情報を前記データベースサーバに要求することを特徴とする請求項１記載のＩＰ電話システム。
【請求項５】
ＩＰネットワーク上のＩＰ電話装置の利用者識別情報を登録するデータベースサーバに接続されるＩＰ電話装置であって、ＩＰネットワーク上の他のＩＰ電話装置から当該他のＩＰ電話装置の利用者識別情報へのリンク情報が指定された呼制御信号を受信すると、前記呼制御信号に指定されたリンク情報に基づいて前記他のＩＰ電話装置の利用者識別情報を前記データベースサーバに要求することを特徴とするＩＰ電話装置。
【請求項６】
前記呼制御信号に、前記他のＩＰ電話装置の利用者識別情報へのリンク情報が指定されていない場合には当該他のＩＰ電話装置との接続を拒否することを特徴とする請求項５記載のＩＰ電話装置。
【請求項７】
前記他のＩＰ電話装置から前記呼制御信号としてＳＩＰプロトコルで規定されるＩＮＶＩＴＥメッセージを受信し、当該ＩＮＶＩＴＥメッセージに指定されたリンク情報に基づいて前記他のＩＰ電話装置の利用者識別情報を前記データベースサーバに要求することを特徴とする請求項５記載のＩＰ電話装置。
【請求項８】
ｈｔｔｐプロトコルに従って前記他のＩＰ電話装置の利用者識別情報を前記データベースサーバに要求することを特徴とする請求項５記載のＩＰ電話装置。
【請求項９】
ＩＰネットワーク上のＩＰ電話装置の利用者識別情報を登録するデータベースサーバに接続されるＩＰ電話装置を用いた通話方法であって、ＩＰネットワーク上の他のＩＰ電話装置から当該他のＩＰ電話装置の利用者識別情報へのリンク情報が指定された呼制御信号を受信すると、前記呼制御信号に指定されたリンク情報に基づいて前記他のＩＰ電話装置の利用者識別情報を前記データベースサーバに要求し、取得した当該利用者識別情報をＩＰ電話装置に表示し、オペレータの指示に応じて当該他のＩＰ電話装置との接続を決定することを特徴とする通話方法。
【請求項１０】
前記呼制御信号に、前記他のＩＰ電話装置の利用者識別情報へのリンク情報が指定されていない場合には当該他のＩＰ電話装置との接続を拒否することを特徴とする請求項９記載の通話方法。
【請求項１１】
前記他のＩＰ電話装置から前記呼制御信号としてＳＩＰプロトコルで規定されるＩＮＶＩＴＥメッセージを受信し、当該ＩＮＶＩＴＥメッセージに指定されたリンク情報に基づいて前記他のＩＰ電話装置の利用者識別情報を前記データベースサーバに要求することを特徴とする請求項９記載の通話方法。
【請求項１２】
ｈｔｔｐプロトコルに従って前記他のＩＰ電話装置の利用者識別情報を前記データベースサーバに要求することを特徴とする請求項９記載の通話方法。
【発明の詳細な説明】
【技術分野】
【０００１】
本発明は、ＩＰネットワークを介して音声通話を可能とするＩＰ電話システム、ＩＰ電話装置及び通話方法に関する。
【背景技術】
【０００２】
近年、インターネットの急速な普及に伴い、遠隔地の電話装置と低料金での通話や登録会員の有するＩＰ電話装置間における無料通話が可能であるＩＰ電話システムが注目されている。しかしながら、このような通話料金が低料金又は無料という特性を利用し、かかるＩＰ電話システムを利用した悪質な勧誘電話などが社会的な問題となっている。
【０００３】
一方、発信者番号の通知機能を利用し、着信側の電話端末上に発信者番号と氏名等の登録情報が登録されていれば、発信者番号と共にその氏名等の登録情報を電話端末に表示する通信端末装置が提案されている（例えば、特許文献１参照）。
【０００４】
このような技術をＩＰ電話システムに応用し、上述の悪質な勧誘電話等を回避することが考えられる。例えば、ＩＰ電話システムの代表的な呼制御プロトコルである、ＳＩＰプロトコルで送出されるＩＮＶＩＴＥメッセージのＦｒｏｍヘッダに記述された発信元電話番号を着信側端末で表示し、認識していない発信元電話番号には応答しないという対策が考えられる。
【特許文献１】特開２０００−２７００８３号公報
【発明の開示】
【発明が解決しようとする課題】
【０００５】
しかしながら、上述の対策で勧誘電話等を回避する場合には、認識していない発信元電話番号からの着信には全て応答しない必要がある。したがって、初めて着信を受ける全ての発信元電話番号の通話相手との間で通話できないという事態が生じる。このため、通話が必要な相手との間においても通話ができない事態が生じることとなり、通信手段としての機能を果たすことができないという問題が生じる。
【０００６】
本発明は、かかる問題点に鑑みて為されたものであり、悪質な勧誘電話などへの応答を回避しつつ、初めて着信を受けた通話相手との間においても安心して通話することができるＩＰ電話システム、ＩＰ電話装置及び通話方法を提供することを目的とする。
【課題を解決するための手段】
【０００７】
本発明は、ＩＰネットワークに接続されたＩＰ電話装置と、ＩＰ電話装置の利用者識別情報を登録しＩＰ電話装置からの要求に応じて当該利用者識別情報を応答するデータベースサーバと、を具備するＩＰ電話システムにおいて、発信側のＩＰ電話装置は当該発信側のＩＰ電話装置の利用者識別情報へのリンク情報が指定された呼制御信号を送出し、着信側のＩＰ電話装置は呼制御信号で指定されたリンク情報に基づいて発信側のＩＰ電話装置の利用者識別情報をデータベースサーバに要求するようにしたものである。
【発明の効果】
【０００８】
本発明に係るＩＰ電話システム、ＩＰ電話装置及び通話方法によれば、悪質な勧誘電話などへの応答を回避しつつ、初めて着信を受けた通話相手との間においても安心して通話することができる。
【発明を実施するための最良の形態】
【０００９】
本発明の第１の態様に係るＩＰ電話システムは、ＩＰネットワークに接続されたＩＰ電話装置と、前記ＩＰ電話装置の利用者識別情報を登録し前記ＩＰ電話装置からの要求に応じて当該利用者識別情報を応答するデータベースサーバと、を具備するＩＰ電話システムであって、発信側のＩＰ電話装置は、当該発信側のＩＰ電話装置の利用者識別情報へのリンク情報が指定された呼制御信号を送出し、着信側のＩＰ電話装置は、前記呼制御信号で指定されたリンク情報に基づいて前記発信側のＩＰ電話装置の利用者識別情報を前記データベースサーバに要求する構成を採る。
【００１０】
この構成によれば、着信側のＩＰ電話装置からの要求に応じて、発信側のＩＰ電話装置の利用者識別情報がデータベースサーバから応答される。この利用者識別情報を当該着信側のＩＰ電話装置で表示等するようにすることで、発信側のＩＰ電話装置のオペレータの識別情報を、着信側のＩＰ電話装置のオペレータに提示することができる。このため、着信側のオペレータは、識別情報を確認した上で着信するか否かを判断することができる。この結果、悪質な勧誘電話などへの応答を回避しつつ、初めて着信を受けた通話相手との間においても安心して通話することができる。
【００１１】
本発明の第２の態様は、第１の態様に係るＩＰ電話システムにおいて、前記着信側のＩＰ電話装置は、前記呼制御信号に、前記発信側のＩＰ電話装置の利用者識別情報へのリンク情報が指定されていない場合には当該発信側のＩＰ電話装置との接続を拒否する構成を採る。
【００１２】
この構成によれば、呼制御信号に、発信側のＩＰ電話装置の利用者識別情報へのリンク情報が指定されていない場合には、当該発信側のＩＰ電話装置との接続が拒否される。したがって、呼制御信号に予め利用者識別情報へのリンク情報を指定していない発信側のＩＰ電話装置からの着信を自動的に拒否することができる。
【００１３】
本発明の第３の態様は、第１の態様に係るＩＰ電話システムにおいて、前記発信側のＩＰ電話装置は、前記呼制御信号としてＳＩＰプロトコルで規定されるＩＮＶＩＴＥメッセージを送出し、前記着信側のＩＰ電話装置は、当該ＩＮＶＩＴＥメッセージで指定されたリンク情報に基づいて前記発信側のＩＰ電話装置の利用者識別情報を前記データベースサーバに要求する構成を採る。
【００１４】
この構成によれば、ＳＩＰプロトコルで規定されるＩＮＶＩＴＥメッセージが呼制御信号として用いられるので、ＳＩＰプロトコルに従って通信制御を行うことで発信側のＩＰ電話装置の利用者識別情報へのリンク情報を把握することができる。
【００１５】
本発明の第４の態様は、第１の態様に係るＩＰ電話システムにおいて、前記着信側のＩＰ電話装置は、ｈｔｔｐプロトコルに従って前記発信側のＩＰ電話装置の利用者識別情報を前記データベースサーバに要求する構成を採る。
【００１６】
この構成によれば、着信側のＩＰ電話装置からの要求に応じて、ｈｔｔｐプロトコルに従って発信側のＩＰ電話装置の利用者識別情報がデータベースサーバから応答される。したがって、ｈｔｔｐプロトコルに従って通信制御を行うことで発信側のＩＰ電話装置の利用者識別情報を取得することができる。
【００１７】
本発明の第５の態様に係るＩＰ電話装置は、ＩＰネットワーク上のＩＰ電話装置の利用者識別情報を登録するデータベースサーバに接続されるＩＰ電話装置であって、ＩＰネットワーク上の他のＩＰ電話装置から当該他のＩＰ電話装置の利用者識別情報へのリンク情報が指定された呼制御信号を受信すると、前記呼制御信号に指定されたリンク情報に基づいて前記他のＩＰ電話装置の利用者識別情報を前記データベースサーバに要求する構成を採る。
【００１８】
この構成によれば、本ＩＰ電話装置からの要求に応じて、他のＩＰ電話装置の利用者識別情報がデータベースサーバから応答される。この利用者識別情報を本ＩＰ電話装置で表示等するようにすることで、他のＩＰ電話装置のオペレータの識別情報を、本ＩＰ電話装置のオペレータに提示することができる。このため、本ＩＰ電話装置のオペレータは、識別情報を確認した上で着信するか否かを判断することができる。この結果、悪質な勧誘電話などへの応答を回避しつつ、初めて着信を受けた通話相手との間においても安心して通話することができる。
【００１９】
本発明の第６の態様は、第５の態様に係るＩＰ電話装置において、前記呼制御信号に、前記他のＩＰ電話装置の利用者識別情報へのリンク情報が指定されていない場合には当該他のＩＰ電話装置との接続を拒否する構成を採る。
【００２０】
この構成によれば、呼制御信号に、他のＩＰ電話装置の利用者識別情報へのリンク情報が指定されていない場合には、当該他のＩＰ電話装置との接続が拒否される。したがって、呼制御信号に予め利用者識別情報へのリンク情報を指定していない他のＩＰ電話装置からの着信を自動的に拒否することができる。
【００２１】
本発明の第７の態様は、第５の態様に係るＩＰ電話装置において、前記他のＩＰ電話装置から前記呼制御信号としてＳＩＰプロトコルで規定されるＩＮＶＩＴＥメッセージを受信し、当該ＩＮＶＩＴＥメッセージに指定されたリンク情報に基づいて前記他のＩＰ電話装置の利用者識別情報を前記データベースサーバに要求する構成を採る。
【００２２】
この構成によれば、ＳＩＰプロトコルで規定されるＩＮＶＩＴＥメッセージが呼制御信号として用いられるので、ＳＩＰプロトコルに従って通信制御を行うことで他のＩＰ電話装置の利用者識別情報へのリンク情報を把握することができる。
【００２３】
本発明の第８の態様は、第５の態様に係るＩＰ電話装置において、ｈｔｔｐプロトコルに従って前記他のＩＰ電話装置の利用者識別情報を前記データベースサーバに要求する構成を採る。
【００２４】
この構成によれば、本ＩＰ電話装置からの要求に応じて、ｈｔｔｐプロトコルに従って他のＩＰ電話装置の利用者識別情報がデータベースサーバから応答される。したがって、ｈｔｔｐプロトコルに従って通信制御を行うことで他のＩＰ電話装置の利用者識別情報を取得することができる。
【００２５】
本発明の第９の態様に係る通話方法は、ＩＰネットワーク上のＩＰ電話装置の利用者識別情報を登録するデータベースサーバに接続されるＩＰ電話装置を用いた通話方法であって、ＩＰネットワーク上の他のＩＰ電話装置から当該他のＩＰ電話装置の利用者識別情報へのリンク情報が指定された呼制御信号を受信すると、前記呼制御信号に指定されたリンク情報に基づいて前記他のＩＰ電話装置の利用者識別情報を前記データベースサーバに要求し、当該利用者識別情報に基づくオペレータの指示に応じて当該他のＩＰ電話装置との接続を決定するものである。
【００２６】
この方法によれば、着信を受けたＩＰ電話装置からの要求に応じて、他のＩＰ電話装置の利用者識別情報がデータベースサーバから応答される。この利用者識別情報を当該ＩＰ電話装置で表示等するようにすることで、他のＩＰ電話装置のオペレータの識別情報を、着信側のＩＰ電話装置のオペレータに提示することができる。このため、着信側のＩＰ電話装置オペレータは、識別情報を確認した上で着信するか否かを判断することができる。この結果、悪質な勧誘電話などへの応答を回避しつつ、初めて着信を受けた通話相手との間においても安心して通話することができる。
【００２７】
本発明の第１０の態様は、第９の態様に係る通話方法において、前記呼制御信号に、前記他のＩＰ電話装置の利用者識別情報へのリンク情報が指定されていない場合には当該他のＩＰ電話装置との接続を拒否するものである。
【００２８】
この方法によれば、呼制御信号に、他のＩＰ電話装置の利用者識別情報へのリンク情報が指定されていない場合には、当該他のＩＰ電話装置との接続が拒否される。したがって、呼制御信号に予め利用者識別情報へのリンク情報を指定していない他のＩＰ電話装置からの着信を自動的に拒否することができる。
【００２９】
本発明の第１１の態様は、第９の態様に係る通話方法において、前記他のＩＰ電話装置から前記呼制御信号としてＳＩＰプロトコルで規定されるＩＮＶＩＴＥメッセージを受信し、当該ＩＮＶＩＴＥメッセージに指定されたリンク情報に基づいて前記他のＩＰ電話装置の利用者識別情報を前記データベースサーバに要求するものである。
【００３０】
この方法によれば、ＳＩＰプロトコルで規定されるＩＮＶＩＴＥメッセージが呼制御信号として用いられるので、ＳＩＰプロトコルに従って通信制御を行うことで他のＩＰ電話装置の利用者識別情報へのリンク情報を把握することができる。
【００３１】
本発明の第１２の態様は、第９の態様に係る通話方法において、ｈｔｔｐプロトコルに従って前記他のＩＰ電話装置の利用者識別情報を前記データベースサーバに要求するものである。
【００３２】
この方法によれば、着信側のＩＰ電話装置からの要求に応じて、ｈｔｔｐプロトコルに従って他のＩＰ電話装置の利用者識別情報がデータベースサーバから応答される。したがって、ｈｔｔｐプロトコルに従って通信制御を行うことで他のＩＰ電話装置の利用者識別情報を取得することができる。
【００３３】
以下、本発明の実施の形態について図面を参照して詳細に説明する。
【００３４】
図１は、本発明の一実施の形態に係るＩＰ電話システムが適用されるネットワークの構成を示す図である。
【００３５】
同図に示すように、本実施の形態に係るＩＰ電話システムにおいては、複数台のＩＰ電話装置（以下、「ＩＰ電話」という）１０１及び１０２、ＣＡ（Call Agent）１０３、及びデータベースサーバとしてのＷｅｂサーバ１０４がＩＰネットワーク１０５を介して接続されている。なお、同図の構成に限らず、ＩＰネットワーク１０５上に３台以上のＩＰ電話を接続してＩＰ電話システムを構成してもよい。
【００３６】
ＩＰ電話１０１（１０２）は、ＩＰネットワーク１０５を介して他のＩＰ電話との間で音声通話が可能な機能を有している。また、ｈｔｔｐプロトコルに従ってＷｅｂサーバ１０４にアクセスし、Ｗｅｂサーバ１０４が提供するＨＴＭＬ文書を閲覧可能なブラウザ機能を有している。
【００３７】
ＣＡ１０３は、ＩＰネットワーク１０５上に設置されたＩＰ電話におけるＩＰネットワーク１０５を介した音声通話を管理する。具体的には、ＣＡ１０３は、ＳＩＰ(Session Initiation Protocol)サーバとしての機能を備え、ＩＰ電話１０１とＩＰ電話１０２との間の呼制御を行う。
【００３８】
Ｗｅｂサーバ１０４は、ＩＰネットワーク１０５に接続されたＩＰ電話１０１（１０２）の発信者を識別するための情報（以下、「発信者情報」という）が登録されるＤＢを備える。発信者情報には、例えば、発信者の電話番号（以下、「発信者番号」という）、氏名、住所、電子メールアドレス及び顔写真等の画像データが含まれる。発信者情報は、個人の情報に限定されず、法人の名称、電話番号、住所、電子メールアドレス及び宣伝情報を含むようにしてもよい。Ｗｅｂサーバ１０４は、着信を受けたＩＰ電話１０１（１０２）からの要求に応じてＤＢに登録された発信者情報をＩＰ電話１０１（１０２）に返送する。
【００３９】
図２は、本実施の形態に係るＩＰ電話１０１の構成を示すブロック図である。なお、ＩＰ電話１０２についても、ＩＰ電話１０１と同様の構成を有する。
【００４０】
同図に示すＩＰ電話１０１において、ＩＰ電話制御部２０１は、ＩＰネットワーク１０５を介して音声通話を行う際に必要となる全ての動作を制御する。例えば、ＩＰ電話制御部２０１は、ＳＩＰプロトコルに代表される呼制御プロトコルに従って、宛先端末との間の呼制御を実行する。また、後述するｈｔｔｐクライアント部２０２に必要な指示を与える。
【００４１】
特に、ＩＰ電話制御部２０１は、ＳＩＰプロトコルに従って呼制御を行う際、発信者情報にリンクが張られたＵＲＬ（以下、「発信者情報ＵＲＬ」という）が指定された「ＩＮＶＩＴＥ」メッセージを送出する。具体的には、発信元を示すＦＲＯＭヘッダにおいて、発信者情報ＵＲＬを指定された「ＩＮＶＩＴＥ」メッセージを送出する。かかる「ＩＮＶＩＴＥ」メッセージの構成については後述する。
【００４２】
ｈｔｔｐクライアント部２０２は、Ｗｅｂサーバ１０４へのアクセス制御及びＷｅｂサーバ１０４が提供するＨＴＭＬ文書の閲覧制御を行う。また、Ｗｅｂサーバ１０４からダウンロードしたＨＴＭＬ文書の表示部２０３への表示制御を行う。
【００４３】
表示部２０３は、ＬＣＤ等の液晶ディスプレイで構成される。表示部２０３は、本ＩＰ電話１０１の現在のステータスを表示すると共に、入力された電話番号等を表示する。また、ｈｔｔｐクライアント部２０２の制御の下、Ｗｅｂサーバ１０４からダウンロードしたＨＴＭＬ文書を表示する。
【００４４】
図３は、本実施の形態に係るＩＰ電話１０１の外観を示す正面図である。なお、ＩＰ電話１０２についても、ＩＰ電話１０１と同様の構成を有する。
【００４５】
同図に示すように、ＩＰ電話１０１は、オペレータの音声を受け付ける受話器３０１を備えている。また、電話番号等を受け付けるテンキー３０２を備えている。さらに、テンキー３０２の右側に留守番電話に切り替える留守キー３０３及び音声を外部出力に切り替えるスピーカキー３０４を備えている。さらに、テンキー３０２の上側にワンタッチで発信可能なワンタッチ機能に代表される各種機能が設定可能なファンクションキー３０５を備えている。さらに、側面部にＩＰネットワーク１０５に接続されるＬＡＮとのインターフェイス（ＬＡＮＩ／Ｆ）３０６を備えている。
【００４６】
ファンクションキー３０５の上側に、液晶ディスプレイ等で構成される表示部２０３が設けられている。表示部２０３は、例えば、Ｗｅｂサーバ１０４からダウンロードした発信者情報（発信者番号や氏名など）が表示される。かかる表示が表示部２０３で行われる際の制御の詳細については後述する。
【００４７】
図４は、本実施の形態に係るＩＰ電話システムにおけるＷｅｂサーバ１０４の代表的な構成を示すブロック図である。
【００４８】
同図に示すように、Ｗｅｂサーバ１０４は、サーバ本体の全体を制御するＣＰＵ４０１を備えている。このＣＰＵ４０１にメモリ４０２が接続されている。メモリ４０２は、ＣＰＵ４０１が読み込んで実行する本Ｗｅｂサーバ１０４の制御プログラムが格納されるＲＯＭとしての機能と、ＣＰＵ４０１が制御プログラムを実行する際のワークメモリとして機能するＲＡＭとしての機能とを備える。
【００４９】
また、ＣＰＵ４０１にデータベース（ＤＢ）４０３が接続されている。ＤＢ４０３は、後述する発信者情報を表示するためのデータを登録している。ＣＰＵ４０１は、例えば、ＩＰ電話１０１（１０２）から発信者情報の要求を受け付けると、ＤＢ４０３に登録されたデータから該当する発信者情報を検索し、発信者情報を要求してきたＩＰ電話１０１（１０２）に返送する。
【００５０】
さらに、ＣＰＵ４０１に入出力装置４０４が接続されている。入出力装置４０４は、例えば、キーボード等の入力装置と、ディスプレイ等の出力装置とから構成される。入力装置は、例えば、ＤＢ４０３に登録されるデータの内容を追加、編集する場合に利用される。出力装置は、例えば、ＤＢ４０３に登録されるデータの内容をＷｅｂサーバ１０４の管理者等が確認する場合に利用される。
【００５１】
さらに、ＣＰＵ４０１にネットワークインターフェイス（Ｉ／Ｆ）４０５が接続されている。ネットワークＩ／Ｆ４０５は、本Ｗｅｂサーバ１０４が接続されるＩＰネットワーク１０５とのインターフェイスである。
【００５２】
図５は、本実施の形態に係るＷｅｂサーバ１０４に登録されたデータの一例を示す図である。
【００５３】
同図においては、ＵＲＬ「／／ｗｗｗ．ｔｏｋｙｏ．ｓｉｐ．ｃｏｍ／ｕｓｅｒ８１３１０００００００．ｈｔｍｌ」及び「／／ｗｗｗ．ｔｏｋｙｏ．ｓｉｐ．ｃｏｍ／ｕｓｅｒ８１３１００００００１．ｈｔｍｌ」が登録された場合について示している。具体的には、ＵＲＬ「／／ｗｗｗ．ｔｏｋｙｏ．ｓｉｐ．ｃｏｍ／ｕｓｅｒ８１３１０００００００．ｈｔｍｌ」及び「／／ｗｗｗ．ｔｏｋｙｏ．ｓｉｐ．ｃｏｍ／ｕｓｅｒ８１３１００００００１．ｈｔｍｌ」のそれぞれのファイルの内容に「松下太郎」及び「松下花子」の氏名、電話番号、住所及び画像データ等が含まれる。
【００５４】
次に、本実施の形態に係るＩＰ電話システムにおいて、ＩＰ電話１０１がＩＰ電話１０２と通話を行うまでの動作について、図６に示すシーケンス図を用いて説明する。
【００５５】
なお、かかる動作を説明する前提として、Ｗｅｂサーバ１０４には図５に示すデータが登録されているものとする。また、ＩＰ電話１０１及びＩＰ電話１０２には、それぞれ電話番号として「０３１０００００００」及び「０３１００００００１」が割り当てられているものとする。さらに、ＩＰ電話１０１及びＩＰ電話１０２のオペレータは、それぞれ「松下太郎」及び「松下花子」であるものとする。
【００５６】
ＣＡ１０３がＩＰネットワーク１０５上のＩＰ電話１０１とＩＰ電話１０２との呼制御を行うためには、事前に各ＩＰ電話の情報を登録しておくことが必要となる。したがって、図６に示すように、ＩＰ電話１０１からＣＡ１０３に対して「Ｒｅｇｉｓｔｅｒ」メッセージを送出し、ＣＡ１０３からＩＰ電話１０１に対して「２００ＯＫ」メッセージを返信する処理が必要となる（ＳＴ６０１、ＳＴ６０２）。同様に、ＩＰ電話１０２からＣＡ１０３に対して「Ｒｅｇｉｓｔｅｒ」メッセージを送出し、ＣＡ１０３からＩＰ電話１０２に対して「２００ＯＫ」メッセージを返信する処理が必要となる（ＳＴ６０３、ＳＴ６０４）。
【００５７】
なお、ＣＡ１０３への各ＩＰ電話の情報の登録手順については、図６に示すように、ＩＰ電話１０１から先に情報を登録する場合に限定されず、図６に示す例とは逆に、ＩＰ電話１０２から先に情報を登録するようにしてもよい。
【００５８】
ＩＰ電話１０１がＩＰ電話１０２と通話を行う場合、まず、ＩＰ電話１０１は、オペレータ（松下太郎）からＩＰ電話１０２の電話番号を受け付ける。すなわち、電話番号「０３１００００００１」を受け付ける。
【００５９】
ＩＰ電話１０２の電話番号を受け付けると、ＩＰ電話１０１は、「ＩＮＶＩＴＥ」メッセージを、ＣＡ１０３を介してＩＰ電話１０２に送出する（ＳＴ６０５）。図７は、ＩＰ電話１０１からＩＰ電話１０２に送出される「ＩＮＶＩＴＥ」メッセージの内容の一例について示す図である。
【００６０】
同図に示す「ＩＮＶＩＴＥ」メッセージは、第３行目に示すようにＦｒｏｍヘッダを含む一方、第５行目に示すようにＴｏヘッダを含んでいる。Ｆｒｏｍヘッダには、発信元であるＩＰ電話１０１の電話番号「０３１００００００」を含む内容が記述される。また、Ｔｏヘッダには、発信先であるＩＰ電話１０２の電話番号「０３１００００００１」を含む内容が記述される。
【００６１】
特に、Ｆｒｏｍヘッダには、ＩＰ電話１０１のオペレータである「松下太郎」に対応する発信者情報ＵＲＬが指定されている。このように発信者情報ＵＲＬが指定された「ＩＮＶＩＴＥ」メッセージがＩＰ電話１０２に送出されることで、ＩＰ電話１０２において発信者情報を取得することが可能となる。
【００６２】
なお、同図に示す例においては、Ｆｒｏｍヘッダ及びＴｏヘッダに記述される内容に＠マークを含ませ、その前側（同図に示す左側）にそれぞれ発信元又は発信先の電話番号を記述している。なお、Ｆｒｏｍヘッダ及びＴｏヘッダに記述される内容は、特に同図に示す内容に限定されない。
【００６３】
ＩＰ電話１０１から「ＩＮＶＩＴＥ」メッセージを受信すると、ＩＰ電話１０２は、これに含まれるＦｒｏｍヘッダから発信者情報ＵＲＬを抽出する。この場合、図７に示すＦｒｏｍヘッダの内容のうち、「／／ｗｗｗ．ｔｏｋｙｏ．ｓｉｐ．ｃｏｍ／ｕｓｅｒ８１３１０００００００．ｈｔｍｌ」を発信者情報ＵＲＬとして抽出する。
【００６４】
発信者情報ＵＲＬを抽出すると、ＩＰ電話１０２は、その発信者情報ＵＲＬ「／／ｗｗｗ．ｔｏｋｙｏ．ｓｉｐ．ｃｏｍ／ｕｓｅｒ８１３１０００００００．ｈｔｍｌ」に応じてＷｅｂサーバ１０４にアクセスし、発信者情報を要求する（ＳＴ６０６）。この要求に応じて、Ｗｅｂサーバ１０４からＩＰ電話１０２に発信者情報が返信される（ＳＴ６０７）。この場合、Ｗｅｂサーバ１０４は、図５に示すデータのうち、「松下太郎」に対応する発信者情報を返信する。
【００６５】
発信者情報を受信すると、ＩＰ電話１０２の表示部２０３においてこの発信者情報が表示される。従って、ＩＰ電話１０２のオペレータは、表示部２０３に表示された発信者情報を確認して応答するかを判断することが可能となる。また、ＩＰ電話１０２では、発信者情報の表示と同時に呼び出し音が鳴動する。また、この呼び出し音の鳴動に並行してＩＰ電話１０２からＩＰ電話１０１に対して「１８０Ｒｉｎｇｉｎｇ」メッセージが送出される（ＳＴ６０８）。
【００６６】
そして、ＩＰ電話１０２でオフフックが検出されると、ＩＰ電話１０２からＩＰ電話１０１に対して接続許可を示す「２００ＯＫ」メッセージが送出される（ＳＴ６０９）。この「２００ＯＫ」メッセージを受信すると、ＩＰ電話１０１からＩＰ電話１０２に対して「ＡＣＫ」メッセージが送出される（ＳＴ６１０）。この「ＡＣＫ」メッセージをＩＰ電話１０２が受信すると、ＩＰ電話１０１とＩＰ電話１０２との間で通話可能状態となる。
【００６７】
図８は、図６に示すシーケンスにおける着信側のＩＰ電話１０２の動作を説明するためのフロー図である。
【００６８】
ＩＰ電話１０２は、待機状態において、ＩＰネットワーク１０５を介した「ＩＮＶＩＴＥ」メッセージの受信を監視している（ＳＴ８０１）。そして、「ＩＮＶＩＴＥ」メッセージを受信した場合には、その「ＩＮＶＩＴＥ」メッセージのＦｒｏｍヘッダに、発信者情報ＵＲＬが指定されているか判断する（ＳＴ８０２）。
【００６９】
発信者情報ＵＲＬが指定されている場合には、ＩＰ電話１０２は、その発信者情報ＵＲＬに応じてＷｅｂサーバ１０４にアクセスし、発信者情報を要求する（ＳＴ８０３）。この要求に応じてＷｅｂサーバ１０４から発信者情報が返送されてくる。これにより、ＩＰ電話１０２は、発信者情報を取得する（ＳＴ８０４）。
【００７０】
発信者情報を取得すると、ＩＰ電話１０２は、この発信者情報を表示部２０３に表示すると共に、呼び出し音を鳴動する（ＳＴ８０５）。そして、ＩＰ電話１０２は、オペレータからオフフックを受け付けたかを判断する（ＳＴ８０６）。
【００７１】
オフフックを受け付けた場合には、ＩＰ電話１０２は、発信側のＩＰ電話１０１に対して接続許可を示す「２００ＯＫ」メッセージを送出する（ＳＴ８０７）。そして、この「２００ＯＫ」に応じてＩＰ電話１０１から送出される「ＡＣＫ」メッセージを受け取ると、通話処理に移行する（ＳＴ８０８）。
【００７２】
なお、ＳＴ８０２の判断において、「ＩＮＶＩＴＥ」メッセージに発信者情報ＵＲＬが指定されていない場合、ＩＰ電話１０２は、発信側のＩＰ電話１０１に対して接続できない旨を示す「４８６ＢＵＳＹ」メッセージを送出し（ＳＴ８０９）、処理を終了する。発信側のＩＰ電話１０１においては、この「４８６ＢＵＳＹ」メッセージを受信すると、通話失敗と判断し発呼処理を終了する。
【００７３】
また、ＳＴ８０６の判断において、オフフックを受け付けない場合、ＩＰ電話１０２は、予め定めた時間だけ待機した後、オペレータが当該着信に応答する意図がないと判断して処理を終了する。発信側のＩＰ電話１０１においては、いつまで待機しても接続許可を示す「２００ＯＫ」メッセージを受け取ることができないため、通話失敗と判断し発呼処理を終了する。
【００７４】
このように本実施の形態に係るＩＰ電話システムによれば、着信を受けたＩＰ電話１０２からの要求に応じて、発信側のＩＰ電話１０２の発信者情報がＷｅｂサーバ１０４から応答される。この発信者情報は、ＩＰ電話１０２の表示部２０３で表示されるので、ＩＰ電話１０１の発信者情報を、着信側のＩＰ電話１０２のオペレータに提示することができる。このため、着信側のＩＰ電話１０２のオペレータは、発信者情報を確認した上で着信するか否かを判断することができる。この結果、悪質な勧誘電話などへの応答を回避しつつ、初めて着信を受けた通話相手との間においても安心して通話することができる。
【００７５】
また、本実施の形態に係るＩＰ電話システムにおいては、発信側のＩＰ電話１０１から送出される「ＩＮＶＩＴＥ」メッセージに発信者情報ＵＲＬが指定されている。そして、着信側のＩＰ電話１０２は、その発信者情報ＵＲＬに基づいて発信者情報をＷｅｂサーバ１０４に要求する。したがって、ＳＩＰプロトコルで規定される「ＩＮＶＩＴＥ」メッセージにより発信者情報ＵＲＬが通知されるので、ＳＩＰプロトコルに従って通信制御を行うことで発信側のＩＰ電話の発信者情報ＵＲＬを把握することができる。
【００７６】
さらに、本実施の形態に係るＩＰ電話システムにおいては、発信側のＩＰ電話１０１から受信した「ＩＮＶＩＴＥ」メッセージのＦｒｏｍヘッダに発信者情報ＵＲＬが指定されていない場合には、当該発信側のＩＰ電話１０１との接続が拒否される（ＳＴ８０９）。したがって、「ＩＮＶＩＴＥ」メッセージのＦｒｏｍヘッダに予め発信者情報ＵＲＬが指定されていないＩＰ電話からの着信を自動的に拒否することができる。
【００７７】
さらに、本実施の形態に係るＩＰ電話システムにおいては、着信を受けたＩＰ電話１０２が発信者情報を取得する際、ｈｔｔｐプロトコルに従って発信者情報をＷｅｂサーバ１０４に要求し、当該発信者情報を取得する。したがって、ｈｔｔｐプロトコルに従って通信制御を行うことで、発信側のＩＰ電話１０１の発信者情報を取得することができる。
【００７８】
なお、本実施の形態に係るＩＰ電話システムにおいては、ＣＡ１０３がＳＩＰサーバとして機能すると共に、ＩＰ電話１０１及び１０２がＳＩＰプロトコルに従って呼制御を実行する場合について示している。しかし、ＣＡ１０３並びにＩＰ電話１０１及び１０２で用いられる呼制御プロトコルは、これに限定されず、Ｈ．３２３プロトコルなどの他の呼制御プロトコルを用いるようにしてもよい。このように他の呼制御プロトコルを用いた場合においても、本実施の形態と同様の効果を得ることができる。
【００７９】
本実施の形態に係るＩＰ電話システムにおいては、着信を受けたＩＰ電話１０２がｈｔｔｐプロトコルに従ってＷｅｂサーバ１０４から発信者情報を取得する場合について説明している。しかし、発信者情報を取得する手法としては、ｈｔｔｐプロトコルに従ってＷｅｂサーバ１０５へ発信者情報を取得する場合に限定されない。例えば、ＬＤＡＰ（Lightweight Directory Access Protocol）プロトコルやＦＴＰ（File Transfer Protocol）プロトコルを用いて別途用意したデータベースサーバから発信者情報を取得するようにしてもよい。また、発信者情報とプロトコルの記述はＩＮＶＩＴＥに非標準のヘッダ（ｅ．ｇ．Ｐ−ｈｔｔｐ）を付加することで実現しても構わない。
【００８０】
なお、本実施の形態に係るＩＰ電話システムにおいて、音声とは人の話す声に限らず音一般、音声帯域に変調されたモデム信号、ＦＡＸ信号であっても構わない。また、電話機とはファクシミリ装置であっても構わない。
【００８１】
また、本実施の形態に係るＩＰ電話システムにおいては、ＩＰ電話は、単体の装置として存在する場合について説明しているが、これに限定されない。すなわち、接続される通常の電話装置をＩＰ電話として機能させる機能を有する制御アダプタに、通常の電話装置を接続してＩＰ電話を構成してもよい。なお、通常の電話装置とは、ＩＰネットワーク１０５を介して音声通話をする機能を有しない電話装置のことをいうものとする。
【００８２】
さらに、以上の説明におけるＩＰ電話は、総務省が定義し通信事業者が運用するＩＰ電話や、ローカルなネットワーク又は自営網でのＴＣＰ／ＩＰ等のコンピュータ通信プロトコルによるネットワークで実現されるものも含むものとする。
【産業上の利用可能性】
【００８３】
本発明に係るＩＰ電話システム、ＩＰ電話装置及び通話方法によれば、悪質な勧誘電話などへの応答を回避しつつ、初めて着信のあった通話相手との間においても安心して通話することができ、より利便性に優れたＩＰ電話システムを提供できる点で有用である。
【図面の簡単な説明】
【００８４】
【図１】本発明の一実施の形態に係るＩＰ電話システムが適用されるネットワークの構成を示す図
【図２】上記実施の形態に係るＩＰ電話システムを構成するＩＰ電話の構成を示すブロック図
【図３】上記実施の形態に係るＩＰ電話の外観を示す正面図
【図４】上記実施の形態に係るＩＰ電話システムにおけるＷｅｂサーバの代表的な構成を示すブロック図
【図５】上記実施の形態に係るＷｅｂサーバのＤＢに登録されたデータの一例を示す図
【図６】上記実施の形態に係るＩＰ電話システムにおいて、発信側のＩＰ電話が着信側のＩＰ電話と通話を行うまでの動作について説明するためのシーケンス図
【図７】上記実施の形態に係るＩＰ電話システムにおいて、発信側のＩＰ電話から着信側のＩＰ電話に送出される「ＩＮＶＩＴＥ」メッセージの内容の一例について示す図
【図８】図６に示すシーケンスにおける着信側のＩＰ電話の動作を説明するためのフロー図
【符号の説明】
【００８５】
１０１、１０２  ＩＰ電話装置（ＩＰ電話）
１０３  ＣＡ
１０４  Ｗｅｂサーバ
１０５  ＩＰネットワーク
２０１  ＩＰ電話制御部
２０２  ｈｔｔｐクライアント部
２０３  表示部
【図１】
2006033588.tif 000003
【図２】
2006033588.tif 000004
【図３】
2006033588.tif 000005
【図４】
2006033588.tif 000006
【図５】
2006033588.tif 000007
【図６】
2006033588.tif 000008
【図７】
2006033588.tif 000009
【図８】
2006033588.tif 000010